(57)【要約】      （修正有）【課題】コネクタハウジングの組付けの作業性を向上させることが可能な電気接続箱を提供する。【解決手段】電気接続箱は、ベース部材と、フード状に開口するフード部と当該フード部を閉鎖してコネクタ端子が貫通する端子挿通孔が形成された奥壁部とを有し、ベース部材に装着されるコネクタハウジングと、コネクタ端子と電気的に接続される導電路を有する回路基板と、を備える。コネクタハウジングは、ベース部材にネジ留めされる被留め部４３を備え、ベース部材は、被留め部４３をネジ留めが可能な状態で、コネクタハウジングの離脱方向の移動を規制する規制部５８を備える。【選択図】図５
2017077097.tif 000002
【特許請求の範囲】
【請求項１】
ベース部材と、
フード状に開口するフード部と当該フード部を閉鎖してコネクタ端子が貫通する端子挿通孔が形成された奥壁部とを有し、前記ベース部材に装着されるコネクタハウジングと、
前記コネクタ端子と電気的に接続される導電路を有する回路基板と、を備え、
前記コネクタハウジングは、前記ベース部材にネジ留めされる被留め部を備え、
前記ベース部材は、前記被留め部を前記ネジ留めが可能な状態で、前記コネクタハウジングの離脱方向の移動を規制する規制部を備える電気接続箱。
【請求項２】
前記コネクタハウジングは、前記端子挿通孔に前記コネクタ端子が挿通される組付方向から前記ベース部材に装着可能に構成されており、
前記ベース部材は、前記コネクタハウジングの組付方向の移動を案内するガイド部を備える請求項１に記載の電気接続箱。
【請求項３】
前記ガイド部は、前記コネクタハウジング側に突出する形状であり、
前記奥壁部には、前記ガイド部が挿通されるガイド挿通孔が貫通形成されている請求項２に記載の電気接続箱。
【発明の詳細な説明】
【技術分野】
【０００１】
本明細書では、電気接続箱に関する技術を開示する。
【背景技術】
【０００２】
従来、絶縁板に導電路が形成された基板がケースに収容されてなる電気接続箱が知られている。特許文献１では、絶縁板に回路パターンが印刷されたプリント基板がアッパカバーとロアカバーとからなるケースに収容されており、ケースの開口部にコネクタブロックが挿入されている。コネクタブロックの底壁からは、第１取付部及び第２取付部がケース側に延設されており、第１取付部がアッパカバーのネジ取付部にネジで固定され、第２取付部がプリント基板にネジで固定されている。
【先行技術文献】
【特許文献】
【０００３】
【特許文献１】特開２０１３−５４８３号公報
【発明の概要】
【発明が解決しようとする課題】
【０００４】
ところで、上記構成では、コネクタブロックをアッパカバー及びプリント基板にネジ留めする際には、第１取付部及び第２取付部のネジ孔をアッパカバー及びプリント基板のネジ孔に位置合わせする必要があるため、この位置合わせの作業のために、コネクタブロックの組付けの作業性が良くないという問題がある。
【０００５】
本明細書で開示される技術は上記のような事情に基づいて完成されたものであって、コネクタハウジングの組付けの作業性を向上させることが可能な電気接続箱を提供することを目的とする。
【課題を解決するための手段】
【０００６】
本明細書で開示される電気接続箱は、ベース部材と、フード状に開口するフード部と当該フード部を閉鎖してコネクタ端子が貫通する端子挿通孔が形成された奥壁部とを有し、前記ベース部材に装着されるコネクタハウジングと、前記コネクタ端子と電気的に接続される導電路を有する回路基板と、を備え、前記コネクタハウジングは、前記ベース部材にネジ留めされる被留め部を備え、前記ベース部材は、前記被留め部を前記ネジ留めが可能な状態で、前記コネクタハウジングの離脱方向の移動を規制する規制部を備える。
【０００７】
本構成によれば、ベース部材の規制部がコネクタハウジングの離脱方向の移動を規制することで、被留め部をネジ留めが可能な状態に保持することができるため、被留め部のベース部材へのネジ留めが容易になる。よって、コネクタハウジングの組付けの作業性を向上させることが可能となる。
【０００８】
本明細書で開示される技術の実施態様としては以下の態様が好ましい。
前記コネクタハウジングは、前記端子挿通孔に前記コネクタ端子が挿通される組付方向から前記ベース部材に装着可能に構成されており、前記ベース部材は、前記コネクタハウジングの組付方向の移動を案内するガイド部を備える。
このようにすれば、コネクタハウジングがガイド部に案内されることにより、コネクタハウジングのベース部材への装着が容易になる。
【０００９】
前記ガイド部は、前記コネクタハウジング側に突出する形状であり、前記奥壁部には、前記ガイド部が挿通されるガイド挿通孔が貫通形成されている。
このようにすれば、奥壁部における端子挿通孔以外の貫通孔をガイド挿通孔としてコネクタハウジングのベース部材への組付けの際の案内に利用することができる。
【発明の効果】
【００１０】
本明細書で開示された技術によれば、コネクタハウジングの組付けの作業性を向上させることができる。
【図面の簡単な説明】
【００１１】
【図１】実施形態１の電気接続箱を示す平面図
【図２】図１のＡ−Ａ断面図
【図３】電気接続箱のシールドカバーを外した状態を部分的に示す平面図
【図４】図３のＢ−Ｂ断面図
【図５】図４のネジ留めされる部分を拡大して示す断面図
【図６】コネクタハウジングを示す斜視図
【図７】コネクタハウジングを示す平面図
【図８】図７のＣ−Ｃ断面図
【図９】コネクタハウジングを示す側面図
【図１０】コネクタ装着部にコネクタハウジングを装着する様子を示す斜視図
【図１１】コネクタ装着部を拡大して示す斜視図
【図１２】図１１の台座部の部分の断面図
【図１３】図１２の状態からコネクタハウジングが装着されて規制部に被留め部が載置された状態を示す断面図
【発明を実施するための形態】
【００１２】
＜実施形態１＞
実施形態１を図１ないし図１３を参照しつつ説明する。
電気接続箱１０（図１）は、例えば電気自動車やハイブリット自動車等の車両のバッテリ等の電源とランプ等の車載電装品や駆動モータ等からなる負荷との間の電力供給経路に配され、例えばＤＣ−ＤＣコンバータやインバータ等に用いることができる。電気接続箱１０は、任意の向きで配置可能であるが、以下では、Ｘ方向を前方、Ｙ方向を右方、Ｚ方向を上方として説明する。
【００１３】
（電気接続箱１０）
電気接続箱１０は、図２に示すように、２枚の回路基板１１，１２と、回路基板１１，１２の熱を放熱する放熱部材１８と、放熱部材１８の上面側に配される合成樹脂製のベース部材５０と、ベース部材５０に装着されるコネクタハウジング３０と、シールドカバー２１とを備えている。
【００１４】
回路基板１１，１２は、共に長方形状で、回路基板１１が回路基板１２よりも大きく、互いに異なる高さに平行に配置され、複数の電子部品１３（図３では電子部品１３は省略）が実装されている。電子部品１３は、ＦＥＴ（Field Effect Transistor）等のスイッチング素子、コイル、コンデンサ等からなる。
【００１５】
回路基板１１は、絶縁材料からなる絶縁板に銅箔等からなる導電路（図示しない）がプリント配線技術により形成されたプリント基板１１Ａに金属板材を導電路の形状に打ち抜いた複数のバスバー１１Ｂとを重ねて構成されている。複数のバスバー１１Ｂの前端部は、クランク状に屈曲されており、先端部に複数のコネクタ端子１５が一体に形成されている。各コネクタ端子１５は、板状であって、バスバー１１Ｂの板面と平行に延びている。各コネクタ端子１５は、先端部にプレス加工により一対の凹部１６が形成されているため、凹部１６を含めた上下方向の幅はコネクタ端子１５の板厚（上下方向の厚み）よりも大きくされている。バスバー１１Ｂ（及びコネクタ端子１５）は、銅、銅合金等の金属で形成されている。回路基板１１と放熱部材１８の間には絶縁性の接着剤２０が配されているとともに、回路基板１１は、放熱部材１８にネジ１４でネジ留めされている。回路基板１２は、制御信号が伝送されるプリント基板である。
【００１６】
放熱部材１８は、アルミニウム合金や銅合金等の熱伝導性が高い金属材料からなり、上面側が平坦で、下面側に多数の放熱フィン１９が並んで配されている。シールドカバー２１は、アルミニウム等からなる板状の金属に打ち抜き加工及び曲げ加工を施して形成されており、シールドカバー２１の下端部が放熱部材１８にネジ留めされて固定されているとともに、放熱部材１８を介してグランドに接続されている。
【００１７】
（コネクタハウジング３０）
コネクタハウジング３０は、絶縁性の合成樹脂製であって、前方に開口する角筒状（フード状）のフード部３１と、フード部３１を閉鎖する奥壁部３４と、側面から鍔状に張り出す鍔部４０と、鍔部４０の後方に延びてネジ６９でネジ留めされる被留め部４３（図４参照）とを備えている。フード部３１は、図示しない相手方コネクタハウジングを内側に嵌合可能な大きさで開口している。フード部３１の先端部には、相手側コネクタハウジングのロック凹部に係止して、嵌合状態からの離脱を規制するためのロック突部３２が内方側に突出している。
【００１８】
奥壁部３４には、一対のコネクタ端子１５がそれぞれ挿通される複数の端子挿通孔３５が貫通形成されている。コネクタハウジング３０が正規位置に装着された状態（コネクタ端子１５が正規位置まで挿通された状態）で、端子挿通孔３５は、コネクタ端子１５の上下に隙間が生じる大きさで形成されている。端子挿通孔３５の後端部は後方側にテーパ状に拡径されており、コネクタ端子１５の後方からの挿入が案内される。
【００１９】
また、奥壁部３４には、ロック突部３２に対応する位置に奥壁部３４を前後に貫通するガイド挿通孔３６が形成されている。ガイド挿通孔３６は、ベース部材５０のガイド部５３が挿通される断面が長方形状の貫通孔である。コネクタハウジング３０は、金型に樹脂を注入した後に、金型から取り出して形成されるが、ガイド挿通孔３６は、ロック突部３２を形成するために必然的に形成される金型の抜き孔である。
【００２０】
フード部３１の略上半分の後方には、板状の延出部３８が後方に延びている。延出部３８は、左右の端部側が下方に延びて被留め部４３に連なっている。延出部３８の左右方向の中間部における下面（裏面）には、ベース部材５０から突出するガイド部５３を内側に受け入れる受け部３９（図７参照）が形成されている。受け部３９は、延出部３８の下面から下方に突出しており、ガイド挿通孔３６の左右の孔壁に沿うように前後方向に延びている。
【００２１】
鍔部４０は、コネクタハウジング３０の上面及び両側面から突出している。図４に示すように、鍔部４０が台座部５７の前止まり面６４に突き当たる位置がコネクタハウジング３０がネジ留め可能な正規位置とされる。なお、正規位置では、コネクタハウジング３０の他の部分についても、コネクタ端子１５やベース部材５０に当接して位置決めされる。
【００２２】
被留め部４３は、左右一対設けられ、鍔部４０の上下方向の中間部から鍔部４０と直交するように後方に延びており、長方形の板状であって、ネジ６９の軸部が通される円形状の通し孔４４が貫通形成されている。被留め部４３の下面には、図６に示すように、ネジ留めの際に挟持される挟持部４７と、挟持部４７の左右に設けられ、挟持部４７から段差状に厚みが厚く形成された一対の突条４５と、被留め部４３の後端部に形成され、一対の突条４５間を連ねる被係止部４６とを有する。被係止部４６は、挟持部４７から段差状に厚みが厚く形成されているが、突条４５よりもわずかに厚みが薄く形成されている。
【００２３】
（ベース部材５０）
ベース部材５０は、放熱部材１８の周縁部に沿うフレーム状に形成されており、図１に示すように、図示しない電線の端末部を接続可能な取付部７０が一体に形成されている。取付部７０は、電源側端子が収容されて電源側端子を外部と仕切るものであり、シールドカバー２１の外側に配されており、上面は、蓋部７１によって開閉可能とされている。
【００２４】
ベース部材５０は、図１０に示すように、コネクタハウジング３０が装着されるコネクタ装着部５１を備えている。コネクタ装着部５１は、図１１に示すように、コネクタハウジング３０の被留め部４３が載置される左右一対の台座部５７と、コネクタハウジング３０の奥壁部３４の背面に対向する対向壁５２とを備えている。コネクタ端子１５の起立した部分は、対向壁５２に沿って配され、対向壁５２により背面側から保持されている。対向壁５２の上部における幅方向の中間部には、ガイド部５３が前方に突出している。ガイド部５３は、対向壁５２からわずかに上方に突出した上端部が前方に一定の幅寸法で、コネクタ端子１５と平行な方向に板状に突出している。ガイド部５３の左右に間隔を空けた位置には、一対の凸部５４が対向壁５２の上方に突出している。凸部５４は、コネクタハウジング３０の受け部３９の左右の凹部４１（図７参照）に嵌合する。ガイド部５３は、受け部３９に挿通されて底面側が開放された状態で摺動可能とされる。対向壁５２の後方は、回路基板１２とコネクタハウジング３０を仕切る仕切り壁５５が対向壁５２に連なるように形成されている。
【００２５】
台座部５７は、対向壁５２の左右に連なり、所定の高さで起立している。台座部５７の上面のうち、被留め部４３が載置される部分には、上方に張り出した規制部５８が形成されている。規制部５８は、台座部５７の上面における長方形状の領域であって、この領域の上面の高さ寸法が段差状に高くされている。台座部５７の上面における規制部５８の外側は、規制部５８よりも低い低面部５７Ａとされている。規制部５８の左右の溝は、被留め部４３の突条４５と係合して被留め部４３の前後方向の移動を案内する係合部６１とされている。規制部５８の後端部の段差は、被係止部４６を係止する係止部６２とされている。規制部５８の前端部は、傾斜面６５とされている。
【００２６】
規制部５８には、ネジ６９でネジ留め可能なネジ溝を有するネジ孔５９が形成されている。係止部６２は、左右方向に延びる係止溝６３の溝壁であり、この係止溝６３に被係止部４６が嵌め入れられて被留め部４３の前後方向の移動が規制される。台座部５７の前面は、コネクタハウジング３０の組付け時にコネクタハウジング３０に当接してコネクタハウジング３０の後方への移動を規制する前止まり面６４とされている。
【００２７】
電気接続箱１０の組み付けについて説明する。
放熱部材１８の上面にベース部材５０，回路基板１１，制御用コネクタ６６が装着された回路基板１２を取り付ける。
次に、図１０に示すように、コネクタハウジング３０を背面側からコネクタ装着部５１に向けて移動させると、端子挿通孔３５にコネクタ端子１５が挿通される。次に、コネクタハウジング３０の受け部３９にガイド部５３が挿通されてコネクタハウジング３０の移動方向が案内される。そして、コネクタハウジング３０における被留め部４３の一対の突条４５が規制部５８の係合部６１に係合して案内されて被留め部４３が規制部５８に重なっていき、正規位置に至ると、被留め部４３の被係止部４６が係止溝６３に嵌合して被留め部４３が規制部５８に保持された状態となる（図１３）。このときのコネクタハウジング３０は、上下方向及び左右方向は、ガイド部５３がガイド挿通孔３６に挿通される等により位置決めされた状態で、前後方向は、被係止部４６が係止溝６３に嵌合することで移動が規制されている。そして、被留め部４３の通し孔４４にネジ６９の軸部を通して台座部５７のネジ孔５９にネジ留めすることで（図４）、コネクタハウジング３０がベース部材５０に装着された状態となる。そして、シールドカバー２１をベース部材５０の上から被せてネジ留めすることで、電気接続箱１０が形成される（図１）。
【００２８】
本実施形態の作用、効果について説明する。
本実施形態によれば、ベース部材５０の規制部５８がコネクタハウジング３０の前方側への移動（離脱方向の移動）を規制することで、被留め部４３をネジ留めが可能な状態に保持することができるため、被留め部４３について、ベース部材５０の台座部５７へのネジ留めが容易になる。よって、コネクタハウジング３０の組付けの作業性を向上させることが可能となる。
【００２９】
また、奥壁部３４には、コネクタ端子１５が挿通される端子挿通孔３５が貫通形成されており、コネクタハウジング３０は、コネクタ端子１５が端子挿通孔３５に挿通される組付方向からベース部材５０に組付け可能に構成されており、ベース部材５０は、コネクタハウジング３０の組付方向の移動を案内するガイド部５３を備える。
このようにすれば、コネクタハウジング３０がガイド部５３に案内されることにより、コネクタハウジング３０のベース部材５０への組付けが容易になる。
【００３０】
また、ガイド部５３は、コネクタハウジング３０側に突出する形状であり、奥壁部３４には、ガイド部５３が挿通されるガイド挿通孔３６が貫通形成されている。
このようにすれば、奥壁部３４における端子挿通孔３５以外の貫通孔をガイド挿通孔３６としてコネクタハウジング３０のベース部材５０への組付けの際の案内に利用することができる。
【００３１】
＜他の実施形態＞
本発明は上記記述及び図面によって説明した実施形態に限定されるものではなく、例えば次のような実施形態も本発明の技術的範囲に含まれる。
（１）ガイド部５３は、コネクタハウジング３０側に突出する形状としたが、これに限られない。例えば、ベース部材５０のガイド部を凹部とし、コネクタハウジング３０側に突出する部分を設け、コネクタハウジング３０側の突出する部分がガイド部に挿通されてコネクタハウジング３０が案内されるようにしてもよい。
（２）規制部５８は、台座部５７に設けられる構成としたが、これに限られず、ベース部材５０の台座部５７以外の部分に設けられるようにしてもよい。また、規制部５８は、被留め部４３の被係止部４６を係止する構成としたが、これに限られない。例えば、コネクタハウジング３０における被留め部４３以外の部分に係止するようにしてもよい。
【符号の説明】
【００３２】
１０：  電気接続箱
１１，１２：  回路基板
１５：  コネクタ端子
１８：  放熱部材
３０：  コネクタハウジング
３１：  フード部
３４：  奥壁部
３５：  端子挿通孔
３６：  ガイド挿通孔
３８：  延出部
３９：  受け部
４３：  被留め部
４６：  被係止部
５０：  ベース部材
５１：  コネクタ装着部
５３：  ガイド部
５７：  台座部
５８：  規制部
６２：  係止部
６９：  ネジ
【図１】
2017077097.tif 000003
【図２】
2017077097.tif 000004
【図３】
2017077097.tif 000005
【図４】
2017077097.tif 000006
【図５】
2017077097.tif 000007
【図６】
2017077097.tif 000008
【図７】
2017077097.tif 000009
【図８】
2017077097.tif 000010
【図９】
2017077097.tif 000011
【図１０】
2017077097.tif 000012
【図１１】
2017077097.tif 000013
【図１２】
2017077097.tif 000014
【図１３】
2017077097.tif 000015